(57)【要約】【課題】電話、メール等の通信に係る履歴情報を適切に表示することができる通信装置を提供する。【解決手段】携帯電話機１は、他の通信装置との通信を行う通信部１９と、画像出力部１３と、操作を受け付けるタッチ検出部１４と、通話履歴情報と、電話番号を含む連絡先情報とを記憶する記憶部１２と、制御部１１と、を備える。制御部１１は、通話履歴情報を画像出力部１３に表示させる。また、制御部１１は、タッチ検出部１４が受け付けた操作に基づき選択された連絡先情報を削除する。さらに、制御部１１は、削除される連絡先情報に含まれる電話番号を含む通話履歴情報を、画像出力部１３に表示させない。【選択図】図２
2015115843.tif 000002
【特許請求の範囲】
【請求項１】
他の通信装置との通信を行う通信部と、
表示部と、
操作を受け付ける操作受付部と、
前記通信に係る履歴情報と、他の通信装置を識別するための識別情報を含む連絡先情報とを記憶する第１記憶部と、
前記履歴情報を前記表示部に表示させる表示処理部と、
前記第１記憶部から、前記操作受付部が受け付けた操作に基づき選択された前記連絡先情報を削除する削除処理部と、
前記連絡先情報が前記第１記憶部から削除される場合、削除される前記連絡先情報に含まれる前記識別情報を含む前記履歴情報を、前記表示部に表示させない非表示処理部と、を備える、
ことを特徴とする通信装置。
【請求項２】
請求項１に記載の通信装置において、
前記第１記憶部は、前記識別情報に対応付けて名前を記憶し、
前記表示処理部は、前記履歴情報を表示する際、前記識別情報に対応付けられた名前を前記第１記憶部から読み出して前記表示部に表示させる、
ことを特徴とする通信装置。
【請求項３】
請求項１または２に記載の通信装置において、
前記非表示処理部は、前記操作受付部が受け付けた選択操作に基づいて、削除される前記連絡先情報に含まれる前記識別情報を含む前記履歴情報を、前記表示部に表示させるか否かを決定する、
ことを特徴とする通信装置。
【請求項４】
請求項１ないし３の何れか一項に記載の通信装置において、
前記非表示処理部は、前記削除処理部により前記第１記憶部から前記連絡先情報が削除される場合に、削除される前記連絡先情報に含まれる前記識別情報を含む前記履歴情報を、前記表示部に表示させない非表示対象に設定し、
前記表示処理部は、前記非表示対象に設定された前記履歴情報を前記表示部に表示させない、
ことを特徴とする通信装置。
【請求項５】
請求項４に記載の通信装置において、
前記操作受付部が受け付けた選択操作に基づいて、前記非表示対象に設定された前記履歴情報を前記表示部に表示させない非表示設定を行う設定処理部を、さらに備え、
前記表示処理部は、前記設定処理部により前記非表示設定が行われた場合に、前記非表示対象に設定された前記履歴情報を前記表示部に表示させない、
ことを特徴とする通信装置。
【請求項６】
請求項１ないし３の何れか一項に記載の通信装置において、
前記非表示処理部は、前記削除処理部により前記第１記憶部から前記連絡先情報が削除される場合に、削除される前記連絡先情報に含まれる前記識別情報を含む前記履歴情報を、前記第１記憶部から削除する、
ことを特徴とする通信装置。
【請求項７】
請求項６に記載の通信装置において、
前記非表示処理部は、前記第１記憶部から削除される前記履歴情報を第２記憶部に記憶
し、
前記操作受付部が受け付けた選択操作に基づいて、前記第２記憶部に記憶された前記履歴情報を前記表示部に表示させる表示設定を行う設定処理部を、さらに備え、
前記表示処理部は、前記設定処理部により前記表示設定が行われた場合に、前記第１記憶部に記憶された前記履歴情報とともに前記第２記憶部に記憶された前記履歴情報を前記表示部に表示させる、
ことを特徴とする通信装置。
【請求項８】
請求項１ないし７の何れか一項に記載の通信装置において、
前記通信は、電話およびメールの少なくとも一つを含み、
前記通信が電話を含む場合、前記識別情報は電話番号を含み、
前記通信がメールを含む場合、前記識別情報は、電話番号またはメールアドレスを含む、
ことを特徴とする通信装置。
【請求項９】
他の通信装置との通信に係る履歴情報を表示部に表示するための履歴表示制御方法において、
他の通信装置を識別するための識別情報を含む連絡先情報を記憶する記憶部から、何れかの前記連絡先情報が削除されるか否かを判定するステップと、
削除される前記連絡先情報に含まれる前記識別情報を含む前記履歴情報を、前記表示部に表示させないステップと、を含む、
ことを特徴とする履歴表示制御方法。
【請求項１０】
通信装置のコンピュータに、他の通信装置との通信に係る履歴情報を表示部に表示する履歴表示機能を付与するプログラムにおいて、
他の通信装置を識別するための識別情報を含む連絡先情報を記憶する記憶部から、何れかの前記連絡先情報が削除されるか否かを判定するステップと、
削除される前記連絡先情報に含まれる前記識別情報を含む前記履歴情報を、前記表示部に表示させないステップと、を含む、
ことを特徴とするプログラム。
【発明の詳細な説明】
【技術分野】
【０００１】
本発明は、通信が可能な通信装置に関する。また、本発明は、かかる通信装置に適用可能な履歴表示制御方法およびプログラムに関する。
【背景技術】
【０００２】
従来、携帯電話機等の携帯端末装置では、電話の発信または着信があると、発信履歴情報または着信履歴情報が記憶される。発信履歴情報は、電話番号、発信日時等を含み、着信履歴情報は、電話番号、着信日時等を含む（以下、発信履歴情報および着信履歴情報を、総称して通話履歴情報と称する）。
【０００３】
携帯端末装置には、名前に対応付けて電話番号が登録された電話帳（アドレス帳）が備えられている。通話履歴情報がディスプレイに表示される場合、電話帳が参照され、名前が、電話番号とともに、あるいは電話番号に代えて表示される。
【０００４】
従来技術として、電話帳に登録された電話番号が変更された場合に、通話履歴情報として記憶されている電話番号が変更されることで、通話履歴情報として名前の表示が継続されるようにする構成がある（特許文献１参照）。
【先行技術文献】
【特許文献】
【０００５】
【特許文献１】特開２００８−２５２３７０号公報
【発明の概要】
【発明が解決しようとする課題】
【０００６】
ところで、ユーザの操作によって、名前、電話番号を含む全ての連絡先情報が電話帳から削除される場合がある。そのような場合、携帯端末装置では、発信先や着信元の電話番号に対応する連絡先情報がないため、通話履歴情報として名前は表示されず、電話番号が表示されることとなる。このような場合、連絡先情報が削除されたユーザにとって不必要な相手の電話番号が、不在着信などの必要な電話番号とともに表示されることとなり、ユーザによる必要な通話履歴情報の閲覧が妨げられる虞がある。
【０００７】
そこで、本発明は、電話、メール等の通信に係る履歴情報を適切に表示することができる通信装置を提供することを目的とする。
【課題を解決するための手段】
【０００８】
本発明の第１の態様は、通信装置に関する。本態様に係る通信装置は、他の通信装置との通信を行う通信部と、表示部と、操作を受け付ける操作受付部と、前記通信に係る履歴情報と、他の通信装置を識別するための識別情報を含む連絡先情報とを記憶する第１記憶部と、前記履歴情報を前記表示部に表示させる表示処理部と、前記第１記憶部から、前記操作受付部が受け付けた操作に基づき選択された前記連絡先情報を削除する削除処理部と、前記連絡先情報が前記第１記憶部から削除される場合、削除される前記連絡先情報に含まれる前記識別情報を含む前記履歴情報を、前記表示部に表示させない非表示処理部と、を備える。
【０００９】
本態様に係る通信装置において、前記第１記憶部は、前記識別情報に対応付けて名前を記憶する構成とされ得る。この場合、前記表示処理部は、前記履歴情報を表示する際、前記識別情報に対応付けられた名前を前記第１記憶部から読み出して前記表示部に表示させ
る。
【００１０】
本態様に係る通信装置において、前記非表示処理部は、前記操作受付部が受け付けた選択操作に基づいて、削除される前記連絡先情報に含まれる前記識別情報を含む前記履歴情報を、前記表示部に表示させるか否かを決定する構成とされ得る。
【００１１】
本態様に係る通信装置において、前記非表示処理部は、前記削除処理部により前記第１記憶部から前記連絡先情報が削除される場合に、削除される前記連絡先情報に含まれる前記識別情報を含む前記履歴情報を、前記表示部に表示させない非表示対象に設定する構成とされ得る。この場合、前記表示処理部は、前記非表示対象に設定された前記履歴情報を前記表示部に表示させない。
【００１２】
上記の構成とされた場合、さらに、通信装置は、前記操作受付部が受け付けた選択操作に基づいて、前記非表示対象に設定された前記履歴情報を前記表示部に表示させない非表示設定を行う設定処理部を、さらに備える構成とされ得る。この場合、前記表示処理部は、前記設定処理部により前記非表示設定が行われた場合に、前記非表示対象に設定された前記履歴情報を前記表示部に表示させない。
【００１３】
本態様に係る通信装置において、前記非表示処理部は、前記削除処理部により前記第１記憶部から前記連絡先情報が削除される場合に、削除される前記連絡先情報に含まれる前記識別情報を含む前記履歴情報を、前記第１記憶部から削除する構成とされ得る。
【００１４】
上記の構成とされた場合、前記非表示処理部は、前記第１記憶部から削除される前記履歴情報を第２記憶部に記憶する構成とされ得る。この場合、通信装置は、前記操作受付部が受け付けた選択操作に基づいて、前記第２記憶部に記憶された前記履歴情報を前記表示部に表示させる表示設定を行う設定処理部を、さらに備える構成とされる。前記表示処理部は、前記設定処理部により前記表示設定が行われた場合に、前記第１記憶部に記憶された前記履歴情報とともに前記第２記憶部に記憶された前記履歴情報を前記表示部に表示させる。
【００１５】
本態様に係る通信装置において、前記通信は、電話およびメールの少なくとも一つを含み得る。前記通信が電話を含む場合、前記識別情報は電話番号を含み得る。前記通信がメールを含む場合、前記識別情報は、電話番号またはメールアドレスを含み得る。
【００１６】
本発明の第２の態様は、他の通信装置との通信に係る履歴情報を表示部に表示するための履歴表示制御方法に関する。本態様に係る履歴表示制御方法は、他の通信装置を識別するための識別情報を含む連絡先情報を記憶する記憶部から、何れかの前記連絡先情報が削除されるか否かを判定するステップと、削除される前記連絡先情報に含まれる前記識別情報を含む前記履歴情報を、前記表示部に表示させないステップと、を含む。
【００１７】
本発明の第３の態様は、通信装置のコンピュータに、他の通信装置との通信に係る履歴情報を表示部に表示する履歴表示機能を付与するプログラムに関する。本態様に係るプログラムは、他の通信装置を識別するための識別情報を含む連絡先情報を記憶する記憶部から、何れかの前記連絡先情報が削除されるか否かを判定するステップと、削除される前記連絡先情報に含まれる前記識別情報を含む前記履歴情報を、前記表示部に表示させないステップと、を含む。
【００１８】
なお、特許請求の範囲において、「名前」の概念には、個人の氏名のみならず、会社等の名称が含まれる。また、「名前」の概念には、ニックネーム（愛称、あだ名）等、名前に準ずるものが含まれる。
【発明の効果】
【００１９】
本発明によれば、電話、メール等の通信に係る履歴情報を適切に表示することができる。
【００２０】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２１】
【図１】実施の形態に係る、携帯電話機の構成を示す図である。
【図２】実施の形態に係る、携帯電話機の全体構成を示すブロック図である。
【図３】実施の形態に係る、電話帳テーブルの構成を示す図である。
【図４】実施の形態に係る、発信履歴テーブル、着信履歴テーブルおよび不在着信履歴テーブルの構成を示す図である。
【図５】実施の形態に係る、ホーム画面、ダイヤル画面および通話画面が表示されたディスプレイを示す図である。
【図６】実施の形態に係る、履歴記録処理を示すフローチャートである。
【図７】実施の形態に係る、登録者一覧画面、および、メニューウィンドウが重ねて表示された登録者一覧画面の一例を示す図である。
【図８】実施の形態に係る、連絡先削除処理を示すフローチャートである。
【図９】実施の形態に係る、連絡先削除画面、および、連絡先削除画面に重ねられる確認ウィンドウの一例を示す図である。
【図１０】実施の形態に係る、履歴表示処理を示すフローチャートである。
【図１１】実施の形態に係る、非表示設定がなされている場合の通話履歴一覧画面、および、非表示設定がなされていない場合の通話履歴一覧画面の一例を示す図である。
【図１２】実施の形態に係る、表示対象選択処理を示すフローチャートである。
【図１３】実施の形態に係る、メニューウィンドウが重ねて表示された通話履歴一覧画面、および、表示対象選択画面の一例を示す図である。
【図１４】実施の形態に係る、非表示対象解除画面の一例を示す図である。
【図１５】変更例１に係る、発信履歴テーブル、着信履歴テーブルおよび不在着信履歴テーブルの構成を示す図である。
【図１６】変更例１に係る、連絡先削除処理を示すフローチャートである。
【図１７】変更例１に係る、表示対象選択画面の一例を示す図、および、表示対象選択処理を示すフローチャートである。
【図１８】変更例１に係る、履歴表示処理を示すフローチャートである。
【図１９】変更例２に係る、予備通話履歴テーブルの構成を示す図である。
【図２０】変更例２に係る、連絡先削除処理を示すフローチャートである。
【図２１】変更例２に係る、表示対象選択処理を示すフローチャートである。
【図２２】変更例２に係る、履歴表示処理を示すフローチャートである。
【発明を実施するための形態】
【００２２】
以下、本発明の実施の形態について、図面を参照して説明する。
【００２３】
図１（ａ）ないし（ｃ）は、それぞれ、携帯電話機１の正面図、背面図および右側面図である。以下、説明の便宜上、図１（ａ）ないし（ｃ）に示すように、キャビネット２の長手方向を上下方向と定義し、キャビネット２の短手方向を左右方向と定義する。
【００２４】
図１（ａ）ないし（ｃ）に示されるように、携帯電話機１は、キャビネット２と、ディスプレイ３と、タッチパネル４と、マイクロフォン５と、通話スピーカ６と、外部スピー
カ７とを含む。
【００２５】
キャビネット２は、正面から見て、ほぼ長方形の輪郭を有する。キャビネット２の正面側に、ディスプレイ３が配されている。ディスプレイ３には、各種の画像（画面）が表示される。ディスプレイ３は、たとえば、液晶ディスプレイである。ディスプレイ３は、有機ＥＬディスプレイ等、他の種類のディスプレイであってもよい。さらに、ディスプレイ３を覆うように、タッチパネル４が配置されている。タッチパネル４は、透明なシート状に形成されている。タッチパネル４として、静電容量式、超音波式、感圧式、抵抗膜式、光検知式等、各種方式のタッチパネルが用いられ得る。
【００２６】
キャビネット２の内部には、下端部にマイクロフォン５が配されている。また、キャビネット２の内部には、上端部に通話スピーカ６が配されている。マイクロフォン５は、キャビネット２の正面に形成されたマイク孔５ａを通過した音声を受け付ける。マイクロフォン５は、入力された音に応じた電気信号を生成する。通話スピーカ６は、音を出力する。出力された音は、キャビネット２の正面に形成された出力孔６ａを通過してキャビネット２の外に放出される。通話の際には、通信先の機器（携帯電話機等）から受信された受話音声が通話スピーカ６から出力され、ユーザが発した発話音声がマイクロフォン５に入力される。なお、音は、音声、報知音等、様々な音を含む。
【００２７】
キャビネット２の内部には、外部スピーカ７が配されている。キャビネット２の背面には、外部スピーカ７と対向する領域に出力孔７ａが形成されている。外部スピーカ７から出力された音は、出力孔７ａを通過してキャビネット２の外に放出される。
【００２８】
図２は、携帯電話機１の全体構成を示すブロック図である。
【００２９】
図２に示されるように、携帯電話機１は、制御部１１と、記憶部１２と、画像出力部１３と、タッチ検出部１４と、音声入力部１５と、音声出力部１６と、音声処理部１７と、キー入力部１８と、通信部１９を含む。
【００３０】
記憶部１２は、ＲＯＭ、ＲＡＭ、外部メモリを含む。記憶部１２には、各種のプログラムが記憶されている。記憶部１２に記憶されるプログラムは、携帯電話機１の各部を制御するための制御プログラムの他、各種アプリケーションプログラム（以下、単に「アプリケーション」と称する）、たとえば、電話、メッセージ、ウェブブラウザ、地図、ゲーム、スケジュール管理、等のアプリケーションを含む。さらに、記憶部１２に記憶されるプログラムは、後述する、履歴記録処理、連絡先削除処理、履歴表示処理および表示対象選択処理を実行するためのプログラムを含む。プログラムは、メーカによって携帯電話機１の製造時に記憶部１２に記憶される他、通信網やメモリカード、ＣＤ−ＲＯＭ等の記憶媒体を介して記憶部１２に記憶される。
【００３１】
記憶部１２には、プログラムの実行の際、一時的に利用または生成されるデータを記憶するワーキング領域も含まれる。
【００３２】
記憶部１２には、電話帳テーブル１２ａが備えられる。電話帳テーブル１２ａの構成を図３に示す。電話帳テーブル１２ａには、通信相手の連絡先情報が登録されている。連絡先情報は、名前、電話番号、メールアドレス、住所等を含む。各連絡先情報には、登録番号が付される。
【００３３】
記憶部１２には、電話に係る履歴情報、すなわち、通話履歴情報が記録される。通話履歴情報は、電話の発信に係る発信履歴情報と、電話の着信に係る着信履歴情報と、電話の不在着信に係る不在着信情報とに分けられる。記憶部１２は、発信履歴テーブル１２ｂ、
着信履歴テーブル１２ｃおよび不在着信履歴テーブル１２ｄを備える。
【００３４】
図４（ａ）、（ｂ）および（ｃ）は、それぞれ、発信履歴テーブル１２ｂ、着信履歴テーブル１２ｃおよび不在着信履歴テーブル１２ｄの構成を示す図である。
【００３５】
発信履歴テーブル１２ｂには、発信履歴情報が記録される。発信履歴情報は、発信先の電話番号および発信日時を含む。着信履歴テーブル１２ｃには、着信履歴情報が記録される。着信履歴情報は、発信元の電話番号および着信日時を含む。不在着信履歴テーブル１２ｄには、不在着信履歴情報が記録される。不在着信履歴情報は、発信元の電話番号および着信日時を含む。
【００３６】
発信履歴テーブル１２ｂ、着信履歴テーブル１２ｃおよび不在着信履歴テーブル１２ｄは、何れも、表示フラグを含む。表示フラグは、当該表示フラグに対応する通話履歴情報（発信履歴情報、着信履歴情報、不在着信履歴情報）を、通話履歴一覧画面（後述する）により表示するか否かを決定するフラグである。なお、以下、発信履歴テーブル１２ｂ、着信履歴テーブル１２ｃおよび不在着信履歴テーブル１２ｄを総称する場合には、通話履歴テーブル１２ｂ、１２ｃ、１２ｄと称する。
【００３７】
制御部１１は、ＣＰＵを含む。制御部１１は、記憶部１２に記憶されたプログラムに従って、携帯電話機１を構成する各部（記憶部１２、画像出力部１３、タッチ検出部１４、音声入力部１５、音声出力部１６、音声処理部１７、キー入力部１８、通信部１９等）を制御する。
【００３８】
画像出力部１３は、図１（ａ）に示すディスプレイ３を含む。画像出力部１３は、制御部１１からの制御信号と画像信号に基づき、ディスプレイ３に画像（画面）を表示する。また、画像出力部１３は、制御部１１からの制御信号に応じて、ディスプレイ３の点灯、消灯および輝度の調整を行う。
【００３９】
タッチ検出部１４は、図１（ａ）に示すタッチパネル４を含み、タッチパネル４に対するタッチ操作を検出する。より具体的には、タッチ検出部１４は、タッチパネル４に対する、ユーザの指などの接触対象が接触する位置（以下、「タッチ位置」と称する）を検出する。タッチ検出部１４は、検出したタッチ位置に基づいて生成された位置信号を制御部１１へ出力する。タッチパネル４に対するタッチ操作は、ディスプレイ３に表示される画面やオブジェクトを対象として行われるものであり、ディスプレイ３に対するタッチ操作である、と言い換えることができる。
【００４０】
なお、タッチ検出部１４は、ユーザの指がディスプレイ３、すなわち、タッチパネル４に近接したときに、指が近接した位置をタッチ位置として検出する構成であってもよい。たとえば、タッチ検出部１４のタッチパネル４が、静電容量式である場合、指がタッチパネル４に近接したときに静電容量の変化が検出閾値を超えるように、その感度が調整される。また、タッチパネル４を含むキャビネット２の正面が、ガラス等で構成される透明なカバーで覆われる場合、タッチパネル４へ触れようとする指はタッチパネル４でなくカバーに接触する。この場合、タッチパネル４は、指がカバーに接触したとき、あるいはカバーに近接したときにタッチ位置を検出する。
【００４１】
ユーザは、タッチパネル４が設けられることにより、タッチパネル４に指を触れるあるいは近接させることにより、ディスプレイ３に対し様々なタッチ操作を行うことができる。タッチ操作は、たとえば、タップ操作、フリック操作、スライド操作等を含む。
【００４２】
たとえば、タッチ検出部１４によりタッチ位置が検出されてから予め定められた第１時
間以内にタッチ位置が検出されなくなると、制御部１１は、タップ操作が行われたと判定する。タッチ位置が検出されてから予め定められた第２時間以内に予め定められた第１距離以上タッチ位置が移動した後、タッチ位置が検出されなくなった場合、制御部１１は、フリック操作が行われたと判定する。タッチ位置が検出された後、予め定めた第２距離以上タッチ位置が移動すると、制御部１１は、スライド操作が行われたと判定する。
【００４３】
音声入力部１５は、マイクロフォン５を含む。音声入力部１５は、マイクロフォン５からの電気信号を音声処理部１７へ出力する。
【００４４】
音声出力部１６は、通話スピーカ６および外部スピーカ７を含む。音声出力部１６には、音声処理部１７からの電気信号が入力される。音声出力部１６は、通話スピーカ６または外部スピーカ７から音を出力させる。
【００４５】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４６】
キー入力部１８は、少なくとも１つ以上のハードキーを含む。たとえば、キー入力部１８は、携帯電話機１に電源を投入するための電源キー等を含む。キー入力部１８は、押下されたハードキーに対応する信号を制御部１１に出力する。
【００４７】
通信部１９は、通話や通信を行うため、信号を変換するための回路、電波を送受信するアンテナ等を含む。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４８】
図５（ａ）、（ｂ）および（ｃ）は、それぞれ、ホーム画面１０１、ダイヤル画面１０４および通話画面１０５が表示されたディスプレイ３を示す図である。
【００４９】
携帯電話機１では、初期画面として、ホーム画面１０１がディスプレイ３に表示される。図５（ａ）に示すように、ホーム画面１０１は、各種のアプリケーションを起動するための起動用アイコン１０１ａを含む。起動用アイコン１０１ａには、たとえば、電話アイコン１０１ｂ、メールアイコン１０１ｃ、電話帳アイコン１０１ｄ等が含まれる。
【００５０】
ディスプレイ３には、ホーム画面１０１に加えて、通知バー１０２および操作キー群１０３が表示される。通知バー１０２は、ディスプレイ３に表示されたホーム画面１０１の上方に表示される。通知バー１０２は、現在時刻、バッテリー残量を示す残量メータ、電波の強度を示す強度メータ等を含む。さらに、通知バー１０２は、履歴表示キー１０２ａを含む。履歴表示キー１０２ａは、通話履歴の表示を行う場合に、ユーザに操作される。
【００５１】
操作キー群１０３は、ホーム画面１０１の下方に表示される。操作キー群１０３は、メニューキー１０３ａ、ホームキー１０３ｂ、およびバックキー１０３ｃから構成されている。メニューキー１０３ａは、主に、各画面に応じた、各種項目からなるメニューウィンドウをディスプレイ３に表示させるためのキーである。ホームキー１０３ｂは、主に、ディスプレイ３の表示を他の画面からホーム画面１０１に移行させるためのキーである。バックキー１０３ｃは、主に、実行された処理を１ステップ前の処理に戻すためのキーである。
【００５２】
電話アイコン１０１ｂに対してタッチ操作が行われると、電話のアプリケーションが起動されて、ディスプレイ３にダイヤル画面１０４が表示される。図５（ｂ）に示すように、ダイヤル画面１０４は、テンキー１０４ａと、表示窓１０４ｂと、発信キー１０４ｃを含む。
【００５３】
テンキー１０４ａへのタッチ操作により電話番号が入力されると、入力された電話番号が表示窓１０４ｂに表示される。発信キー１０４ｃに対するタッチ操作がなされると、入力された電話番号の電話機へ発信される。
【００５４】
なお、アプリケーションが実行され、ダイヤル画面１０４等、アプリケーションに基づく実行画面が表示されても、さらに、アプリケーションの進行に伴って実行画面が遷移しても、通知バー１０２および操作キー群１０３は、ディスプレイ３に表示され続ける。
【００５５】
発信先の電話機から応答があり、通信路が確立されて通話が可能な状態となると、ディスプレイ３に通話画面１０５が表示される。図５（ｃ）に示すように、通話画面１０５は、情報表示領域１０５ａ、スピーカ切替キー１０５ｂおよび終話キー１０５ｃを含む。情報表示領域１０５ａには、通話相手の電話番号、名前、写真等、通話相手に関する情報が含まれる。
【００５６】
通話中、スピーカ切替キー１０５ｂへのタッチ操作が行われると受話音声の出力先が通話スピーカ６から外部スピーカ７へ切り替えられる。終話キー１０５ｃへのタッチ操作が行われると、通話相手との通話が終了される。
【００５７】
電話の着信があり、所定の応答操作が行われ、通話が可能な状態となった場合も、ディスプレイ３に通話画面１０５が表示される。
【００５８】
電話の発信または着信があった場合、携帯電話機１には、通話履歴情報が記録される。通話履歴情報を記録するための履歴記録処理は、制御部１１により実行される。
【００５９】
図６は、履歴記録処理を示すフローチャートである。
【００６０】
制御部１１は、電話の発信があったか否か、および電話の着信があったか否かを監視する（Ｓ１０１、Ｓ１０２）。電話の発信があると（Ｓ１０１：ＹＥＳ）、制御部１１は、その電話の終了後に、発信履歴情報として、発信先の電話番号および発信日時を発信履歴テーブル１２ｂに記録する（Ｓ１０３）。そして、制御部１１は、記録した発信履歴情報に対応する表示フラグをセットする（Ｓ１０４）。
【００６１】
電話の着信があると（Ｓ１０２：ＹＥＳ）、制御部１１は、着信に対して応答がなされたか否かを判定する（Ｓ１０５）。応答がなされた場合（Ｓ１０５：ＹＥＳ）、制御部１１は、着信履歴情報として、発信元の電話番号および着信日時を着信履歴テーブル１２ｃに記録する（Ｓ１０６）。そして、制御部１１は、記録した着信履歴情報に対応する表示フラグをセットする（Ｓ１０７）。一方、応答がなされなかった場合（Ｓ１０５：ＮＯ）、制御部１１は、不在着信履歴情報として、発信元の電話番号および着信日時を不在着信履歴テーブル１２ｄに記録する（Ｓ１０８）。そして、制御部１１は、記録した不在着信履歴情報に対応する表示フラグをセットする（Ｓ１０９）。
【００６２】
記憶部１２に記録された通話履歴情報は、たとえば、履歴表示キー１０２ａに対するタッチ操作が行われることにより、通話履歴一覧画面によってディスプレイ３に一覧表示される。通話履歴情報の表示に際して電話帳テーブル１２ａが参照され、発信先や着信元の電話番号が電話帳テーブル１２ａに登録されていれば、電話番号に対応付けられた名前が
、電話帳テーブル１２ａから読み出され、通話履歴情報として、電話番号ともにディスプレイ３に表示される。
【００６３】
何れかの登録者について、名前、電話番号を含む全ての連絡先情報が電話帳テーブル１２ａから削除される場合がある。たとえば、ユーザは、連絡をとる必要がなくなった相手の連絡先情報を電話帳テーブル１２ａから削除する。
【００６４】
連絡先情報が電話帳テーブル１２ａから削除されると、通話履歴情報として名前は表示されなくなり、電話番号が表示されることとなる。即ち、ディスプレイ３には、連絡をとる必要がなくなった不要な通話履歴情報の表示が残り、ユーザによる必要な通話履歴情報の閲覧が妨げられる虞がある。
【００６５】
本実施の形態の携帯電話機１では、何れかの登録者について連絡先情報が削除される場合に、削除対象者の連絡先情報に含まれる電話番号を含む通話履歴情報（以下、便宜上、「削除対象者の通話履歴情報」と称する）の表示が止められる。後述するように、連絡先情報を削除するための一連の操作の中で、削除対象者の通話履歴情報の表示が非表示対象に設定されると、非表示対象に設定（表示フラグがリセット）された削除対象者の通話履歴情報は、通話履歴一覧画面に含まれなくなる。
【００６６】
ユーザは、連絡先情報を削除する場合、図５（ａ）のホーム画面１０１上の電話帳アイコン１０１ｄに対してタッチ操作を行い、電話帳のアプリケーションを起動する。電話帳のアプリケーションが起動すると、ディスプレイ３に登録者一覧画面１０６が表示される。
【００６７】
図７（ａ）は、登録者一覧画面１０６の一例を示す図である。図７（ｂ）は、メニューウィンドウ１０７が重ねて表示された登録者一覧画面１０６の一例を示す図である。
【００６８】
登録者一覧画面１０６には、登録者の名前が上下方向に配列される。たとえば、名前が英語表記の場合、各名前は、上からアルファベット順に配列される。登録者一覧画面１０６は、上下方向へのフリック操作により上下方向にスクロールする。
【００６９】
登録者一覧画面１０６が表示された状態において、メニューキー１０３ａに対するタッチ操作が行われると、ディスプレイ３には、登録者一覧画面１０６に重なるようにメニューウィンドウ１０７が表示される。図７（ｂ）に示すように、メニューウィンドウ１０７に含まれる項目一つに、連絡先情報を削除する手続を開始するためメニュー１０７ａが含まれる。
【００７０】
メニュー１０７ａに対するタッチ操作が行われると、制御部１１により、連絡先削除処理が開始される。制御部１１は、連絡先削除処理において、本発明の削除処理部として機能し、削除操作の対象となる連絡先情報を電話帳テーブル１２ａから削除する。さらに、制御部１１は、連絡先削除処理において、本発明の非表示処理部として機能し、削除対象者の通話履歴情報のディスプレイ３への表示を止めるための処理として、削除対象者の通話履歴情報に対応する表示フラグをリセットし、その通話履歴情報を非表示対象に設定する。
【００７１】
図８は、連絡先削除処理を示すフローチャートである。図９（ａ）は、連絡先削除画面１０８の一例を示す図である。図９（ｂ）は、連絡先削除画面１０８に重ねられる確認ウィンドウ１０９の一例を示す図である。
【００７２】
連絡先削除処理が開始されると、制御部１１は、画像出力部１３を制御して、連絡先削
除画面１０８をディスプレイ３に表示する（Ｓ２０１）。図９（ａ）に示すように、連絡先削除画面１０８は、連絡先情報を削除する登録者（削除対象者）を選択するための削除チェックボックス１０８ａを含む。削除チェックボックス１０８ａは、全登録者の連絡先情報を削除する際にチェックされる第１削除チェックボックス１０８ｂ１と、各登録者に対応して配され、各登録者の連絡先情報を削除する際にチェックされる第２削除チェックボックス１０８ｂ２とで構成される。さらに、連絡先削除画面１０８は、実行操作に用いられる実行オブジェクト１０８ｃおよび終了操作に用いられる終了オブジェクト１０８ｄを含む。実行操作は、実行オブジェクト１０８ｃに対するタッチ操作とされる。終了操作は、終了オブジェクト１０８ｄに対するタッチ操作とされる。連絡先削除画面１０８は、実行オブジェクト１０８ｃおよび終了オブジェクト１０８ｄを除いて、上下方向へのフリック操作により上下方向にスクロールする。
【００７３】
制御部１１は、何れかの削除チェックボックス１０８ａに対してタッチ操作がなされたか否かを監視する（Ｓ２０２）。また、制御部１１は、実行操作がなされたか否か、および、終了操作がなされたか否かを監視する（Ｓ２０３、Ｓ２０４）。
【００７４】
ユーザは、所望の削除チェックボックス１０８ａに対してタッチ操作を行う。何れかの削除チェックボックス１０８ａに対してタッチ操作がなされた場合（Ｓ２０２：ＹＥＳ）、制御部１１は、削除チェックボックス１０８ａにチェックマークが表示されていなければ（Ｓ２０５：ＮＯ）、チェックマークを表示し（Ｓ２０６）、チェックマークが表示されていれば（Ｓ２０５：ＹＥＳ）、チェックマークを消去する（Ｓ２０７）。
【００７５】
ユーザは、所望の削除チェックボックス１０８ａへチェックマークを入力した後、実行操作を行う。何れかの削除チェックボックス１０８ａがチェックされた状態で実行操作がなされると（Ｓ２０３：ＹＥＳ、Ｓ２０８：ＹＥＳ）、制御部１１は、確認ウィンドウ１０９を、連絡先削除画面１０８に重なるようにディスプレイ３に表示する。
【００７６】
確認ウィンドウ１０９は、削除チェックボックス１０８ａに対応する登録者の連絡先情報が削除されることを通知するメッセージを含む。また、確認ウィンドウ１０９は、削除対象者の通話履歴情報を非表示対象に設定するか否かをユーザが選択するための非表示チェックボックス１０９ａを含む。さらに、確認ウィンドウ１０９は、承諾操作に用いられる承諾オブジェクト１０９ｂおよび取消操作に用いられる取消オブジェクト１０９ｃを含む。承諾操作は、承諾オブジェクト１０９ｂに対するタッチ操作とされる。取消操作は、取消オブジェクト１０９ｃに対するタッチ操作とされる。
【００７７】
制御部１１は、非表示チェックボックス１０９ａに対してタッチ操作がなされたか否かを監視する（Ｓ２１０）。また、制御部１１は、承諾操作がなされたか否か、および、取消操作がなされたか否かを監視する（Ｓ２１１、Ｓ２１２）。
【００７８】
削除対象者の通話履歴情報がディスプレイ３に表示されないことを望む場合、ユーザは、非表示チェックボックス１０９ａに対してタッチ操作を行う。非表示チェックボックス１０９ａに対してタッチ操作がなされた場合（Ｓ２１０：ＹＥＳ）、制御部１１は、非表示チェックボックス１０９ａにチェックマークが表示されていなければ（Ｓ２１３：ＮＯ）、チェックマークを表示し（Ｓ２１４）、チェックマークが表示されていれば（Ｓ２１３：ＹＥＳ）、チェックマークを消去する（Ｓ２１５）。
【００７９】
ユーザは、削除対象者（全ての登録者が選択された場合は、全ての登録者）の連絡先情報の削除を承諾する場合、承諾操作を行う。承諾操作がなされると（Ｓ２１１：ＹＥＳ）、制御部１１は、非表示チェックボックス１０９ａへのチェックがあるか否か判定する（Ｓ２１６）。非表示チェックボックス１０９ａへのチェックがある場合（Ｓ２１６：ＹＥ
Ｓ）、制御部１１は、通話履歴テーブル１２ｂ、１２ｃ、１２ｄへアクセスし、これら通話履歴テーブル１２ｂ、１２ｃ、１２ｄ内の、削除対象者の通話履歴情報（発信履歴情報、着信履歴情報および不在着信履歴情報）に対応する表示フラグをリセットし、その通話履歴情報を非表示対象に設定する（Ｓ２１７）。そして、制御部１１は、削除対象者の連絡先情報を電話帳テーブル１２ａから削除する（Ｓ２１８）。一方、非表示チェックボックス１０９ａへのチェックがない場合（Ｓ２１６：ＮＯ）、制御部１１は、削除対象者の通話履歴情報に対応する表示フラグをセット状態に維持したまま、削除対象者の連絡先情報を電話帳テーブル１２ａから削除する（Ｓ２１８）。制御部１１は、確認ウィンドウ１０９を閉じて（Ｓ２１９）、ステップＳ２０２の処理へ戻り、再び、削除チェックボックス１０８ａに対するタッチ操作の有無、実行操作の有無および取消操作の有無を監視する（Ｓ２０２、Ｓ２０３、Ｓ２０４）。
【００８０】
ユーザは、削除対象者の連絡先情報の削除を取り消す場合、取消操作を行う。取消操作がなされると（Ｓ２１２：ＹＥＳ）、制御部１１は、削除を中止して、確認ウィンドウ１０９を閉じ（Ｓ２１９）、ステップＳ２０２の処理へ戻る。
【００８１】
ユーザは、削除対象者の連絡先情報の削除が完了すると、連絡先削除画面１０８において終了操作を行う。終了操作が行われると（Ｓ２０４：ＹＥＳ）、制御部１１は、連絡先削除画面１０８を閉じて（Ｓ２２０）、連絡先削除処理を終了する。
【００８２】
ユーザは、通話履歴情報をディスプレイ３に表示させる場合に、図５（ａ）に示す履歴表示キー１０２ａに対するタッチ操作を行う。制御部１１により、履歴表示処理が実行され、ディスプレイ３に通話履歴一覧画面１１０が表示される。制御部１１は、履歴表示処理において、本発明の表示処理部として機能し、通話履歴テーブル１２ｂ、１２ｃ、１２ｄに記憶された通話履歴情報をディスプレイ３に表示する。このとき、制御部１１は、通話履歴テーブル１２ｂ、１２ｃ、１２ｄにおいて、非表示対象に設定された（表示フラグがリセットされた）通話履歴情報を表示せず、非表示対象に設定されていない（表示フラグがセットされた）通話履歴情報を表示する。
【００８３】
図１０は、履歴表示処理を示すフローチャートである。図１１（ａ）は、非表示設定がなされている場合の通話履歴一覧画面１１０の一例を示す図である。図１１（ｂ）は、非表示設定がなされていない場合の通話履歴一覧画面１１０の一例を示す図である。
【００８４】
履歴表示処理が開始されると、制御部１１は、通話履歴一覧画面１１０での表示対象が、全ての通話履歴情報、発信履歴情報、着信履歴情報、または不在着信履歴情報の何れに設定されているかを判定する（Ｓ３０１）。通話履歴一覧画面１１０での表示対象は、後述する表示対象選択処理において、ユーザの選択操作に基づいて設定される。
【００８５】
全ての通話履歴情報が表示対象に設定されている場合（Ｓ３０１：全ての通話履歴情報）、制御部１１は、非表示設定がなされているか否かを判定する（Ｓ３０２）。非表示設定は、上述の連絡先削除処理で非表示対象に設定された通話履歴情報を表示しないための設定である。非表示設定は、後述する表示対象選択処理において、ユーザの選択操作に基づいて行われる。
【００８６】
非表示設定がなされている場合（Ｓ３０２：ＹＥＳ）、制御部１１は、全ての通話履歴テーブル１２ｂ、１２ｃ、１２ｄから表示フラグがセットされた通話履歴情報を抽出する（Ｓ３０３）。即ち、制御部１１は、非表示対象に設定されていない通話履歴情報を抽出し、非表示対象に設定されている通話履歴情報を抽出しない。一方、非表示設定がなされていない場合（Ｓ３０２：ＮＯ）、制御部１１は、全ての通話履歴テーブル１２ｂ、１２ｃ、１２ｄから全ての通話履歴情報を抽出する（Ｓ３０４）。
【００８７】
同様にして、発信履歴情報が表示対象に設定されている場合（Ｓ３０１：発信履歴情報）、制御部１１は、非表示設定がなされていれば（Ｓ３０５：ＹＥＳ）、発信履歴テーブル１２ｂから表示フラグがセットされた発信履歴情報を抽出し（Ｓ３０６）、非表示設定がなされていなければ（Ｓ３０５：ＮＯ）、発信履歴テーブル１２ｂから全ての発信履歴情報を抽出する（Ｓ３０７）。また、着信履歴情報が表示対象に設定されている場合（Ｓ３０１：着信履歴情報）、制御部１１は、非表示設定がなされていれば（Ｓ３０８：ＹＥＳ）、着信履歴テーブル１２ｃから表示フラグがセットされた着信履歴情報を抽出し（Ｓ３０９）、非表示設定がなされていなければ（Ｓ３０８：ＮＯ）、着信履歴テーブル１２ｃから全ての着信履歴情報を抽出する（Ｓ３１０）。さらに、不在着信履歴情報が表示対象に設定されている場合（Ｓ３０１：不在着信履歴情報）、制御部１１は、非表示設定がなされていれば（Ｓ３１１：ＹＥＳ）、不在着信履歴テーブル１２ｄから表示フラグがセットされた不在着信履歴情報を抽出し（Ｓ３１２）、非表示設定がなされていなければ（Ｓ３１１：ＮＯ）、不在着信履歴テーブル１２ｄから全ての不在着信履歴情報を抽出する（Ｓ３１３）。
【００８８】
通話履歴情報（全ての通話履歴情報、発信履歴情報、着信履歴情報、または不在着信履歴情報）が抽出されると、制御部１１は、画像出力部１３を制御し、抽出された通話履歴情報の一覧から構成される通話履歴一覧画面１１０をディスプレイ３に表示する（Ｓ３１４）。図１１（ａ）に示すように、削除対象者の通話履歴情報は、非表示対象に設定（表示フラグがリセット）されており、且つ、非表示設定がなされている場合、通話履歴一覧画面１１０により表示されない。一方、図１１（ｂ）に示すように、削除対象者の通話履歴情報は、非表示対象に設定（表示フラグがリセット）されていない場合、または、非表示対象に設定されていても非表示設定がなされていない場合、通話履歴一覧画面１１０により表示される。ただし、連絡先情報が削除されたため、制御部１１は、電話番号に対応する名前を電話帳テーブル１２ａから読み出せない。よって、名前は表示されなくなる。なお、図１１（ａ）および（ｂ）には、全ての通話履歴情報が表示対象に設定された場合の通話履歴一覧画面１１０が例示されている。
【００８９】
通話履歴一覧画面１１０には、通話履歴情報として、電話番号、発信（着信）日時、が含まれる。また、通話履歴一覧画面１１０には、電話帳テーブル１２ａにおいて電話番号に対応付けられた名前が含まれる。さらに、通話履歴一覧画面１１０では、矢印の方向により、発信、着信の種別が示される。不在着信の場合は、矢印が表示されない。さらに、通話履歴一覧画面１１０では、通話履歴情報が表わされた各情報欄１１０ａに対応して発信オブジェクト１１０ｂが設けられる。発信オブジェクト１１０ｂに対するタッチ操作がなされると、制御部１１は、操作された発信オブジェクト１１０ｂに対応する電話番号による電話の発信を行う。
【００９０】
次に、表示対象の選択および非表示設定を行うための表示対象選択処理について説明する。制御部１１は、表示対象選択処理において、本発明の設定処理部として機能し、非表示対象に設定された通話履歴情報をディスプレイ３に表示しない非表示設定を行う。
【００９１】
図１２は、表示対象選択処理を示すフローチャートである。図１３（ａ）は、メニューウィンドウ１１１が重ねて表示された通話履歴一覧画面１１０の一例を示す図である。図１３（ｂ）は、表示対象選択画面１１２の一例を示す図である。
【００９２】
ユーザは、表示対象となる通話履歴情報を選択する場合や非表示設定を行う場合に、通話履歴一覧画面１１０が表示された状態において、メニューキー１０３ａに対するタッチ操作を行う。ディスプレイ３には、通話履歴一覧画面１１０に重なるようにメニューウィンドウ１１１が表示される。図１３（ａ）に示すように、メニューウィンドウ１１１に含
まれる項目一つに、表示対象を選択する手続を開始するためのメニュー１１１ａが含まれる。ユーザが、メニュー１１１ａに対するタッチ操作を行うと、制御部１１により、表示対象選択処理が開始される。
【００９３】
図１２を参照して、制御部１１は、画像出力部１３を制御して、表示対象選択画面１１２をディスプレイ３に表示する（Ｓ４０１）。図１３（ｂ）に示すように、表示対象選択画面１１２は、非表示対象の通話履歴情報を表示させない場合にチェックされる設定チェックボックス１１２ａと、表示対象となる通話履歴情報を選択するための選択チェックボックス１１２ｂを含む。選択チェックボックス１１２ｂは、「全ての通話履歴情報」、「発信履歴情報」、「着信履歴情報」および「不在着信履歴情報」の各項目にそれぞれ対応して設けられる。さらに、表示対象選択画面１１２は、実行操作に用いられる実行オブジェクト１１２ｃおよび終了操作に用いられる終了オブジェクト１１２ｄを含む。実行操作は、実行オブジェクト１１２ｃに対するタッチ操作とされる。終了操作は、終了オブジェクト１１２ｄに対するタッチ操作とされる。
【００９４】
制御部１１は、設定チェックボックス１１２ａに対してタッチ操作がなされたか否かを監視する（Ｓ４０２）。非表示対象の通話履歴情報が表示されないようにする場合、ユーザは、チェックマークが入っていない状態の設定チェックボックス１１２ａに対してタッチ操作を行う。設定チェックボックス１１２ａに対してタッチ操作がなされた場合（Ｓ４０２：ＹＥＳ）、制御部１１は、設定チェックボックス１１２ａにチェックマークが表示されていなければ（Ｓ４０３：ＮＯ）、チェックマークを表示し（Ｓ４０４）、チェックマークが表示されていれば（Ｓ４０３：ＹＥＳ）、チェックマークを消去する（Ｓ４０５）。
【００９５】
制御部１１は、選択チェックボックス１１２ｂに対してタッチ操作がなされたか否かを監視する（Ｓ４０６）。ユーザは、表示を希望する項目に対応する選択チェックボックス１１２ｂに対してタッチ操作を行う。何れかの選択チェックボックス１１２ｂに対してタッチ操作がなされた場合（Ｓ４０６：ＹＥＳ）、制御部１１は、タッチ操作がなされた選択チェックボックス１１２ｂにチェックマークを表示する（Ｓ４０７）。このとき、それまで表示されていた他の選択チェックボックス１１２ｂのチェックマークは消去される。
【００９６】
制御部１１は、実行操作がなされたか否か、および、終了操作がなされたか否かを監視する（Ｓ４０８、Ｓ４０９）。ユーザは、設定チェックボックス１１２ａにチェックマークを入力し（あるいは入力を行わず）、さらに、所望の選択チェックボックス１１２ｂへチェックマークを入力すると、実行操作を行う。
【００９７】
実行操作が行われると（Ｓ４０８：ＹＥＳ）、制御部１１は、設定チェックボックス１１２ａがチェックされているか否かを判定する（Ｓ４１０）。設定チェックボックス１１２ａがチェックされていれば（Ｓ４１０：ＹＥＳ）、制御部１１は、非表示対象の通話履歴情報を表示しない非表示設定を行う（Ｓ４１１）。そして、制御部１１は、選択チェックボックス１１２ｂのチェックにより選択された通話履歴情報を通話履歴一覧画面１１０により表示する表示対象に設定する（Ｓ４１２）。制御部１１は、表示対象選択画面１１２を閉じて（Ｓ４１３）、表示対象選択処理を終了する。表示対象選択画面１１２において終了操作が行われた場合も（Ｓ４０９：ＹＥＳ）、制御部１１は、表示対象選択画面１１２を閉じて（Ｓ４１３）、表示対象選択処理を終了する。
【００９８】
表示対象選択処理が終了すると、再び、履歴表示処理が行われて、通話履歴一覧画面１１０がディスプレイ３に表示される。この表示の際には、先に表示対象選択処理により行われた非表示設定および表示対象の設定が有効となる。なお、表示対象選択処理が終了したときに、画面がホーム画面１０１に戻されても良い。
【００９９】
ユーザは、非表示対象に設定された通話履歴情報について、非表示対象解除画面１１３を用いて、設定の解除を行うことができる。図１４は、非表示対象解除画面１１３の一例を示す図である。非表示対象解除画面１１３には、非表示対象の通話履歴情報が表わされた各情報欄１１３ａに対応して解除チェックボックス１１３ｂが設けられる。また、非表示対象解除画面１１３には、実行オブジェクト１１３ｃおよび終了オブジェクト１１３ｄが設けられる。
【０１００】
ユーザにより、解除を希望する通話履歴情報の解除チェックボックス１１３ｂに対するタッチ操作が行われると、制御部１１は、解除チェックボックス１１３ｂ内にチェックマークを表示する。実行操作として、実行オブジェクト１１３ｃに対するタッチ操作が行われると、制御部１１は、チェックされた通話履歴情報の表示フラグをセットすることにより、その通話履歴情報について非表示対象の設定を解除する。
【０１０１】
以上、本実施の形態によれば、ユーザは、連絡先情報の削除時に、削除する連絡先情報に含まれる電話番号を含む通話履歴情報をディスプレイ３に表示させないようにすることができる。よって、不要な通話履歴情報がディスプレイ３に表示され続けることを容易に防止できる。また、ユーザは、ディスプレイ３に表示される通話履歴情報に名前が含まれない場合に、最初から電話帳テーブル１２ａに登録されていない相手との電話であることを容易に知ることができる。そのため、ユーザは最初から電話帳に登録されてない相手との電話であるのか、電話帳より登録を削除した相手との電話であるのか明確にわかる。
【０１０２】
さらに、本実施の形態によれば、ユーザは、削除される連絡先情報毎に、その連絡先情報に関連する通話履歴情報を非表示とするか否かを選択することができ、ユーザにとって利便性が高い。
【０１０３】
さらに、本実施の形態によれば、ユーザは、非表示対象に設定された通話履歴情報を全体として表示するか否かを決めることができ、ユーザにとって一層利便性が高い。
【０１０４】
以上、本発明の実施の形態について説明したが、本発明は、上記実施の形態等によって何ら制限されるものではなく、また、本発明の実施の形態も、上記以外に種々の変更が可能である。
【０１０５】
＜変更例１＞
上記実施の形態では、連絡先情報の削除操作の際に、確認ウィンドウ１０９の非表示チェックボックス１０９ａへのチェックがなされると、通話履歴テーブル１２ｂ、１２ｃ、１２ｄにおいて、削除対象者の通話履歴情報が非表示対象に設定され、その通話履歴情報が通話履歴一覧画面１１０に表示されなくなる。
【０１０６】
上記のような構成ではなく、確認ウィンドウ１０９の非表示チェックボックス１０９ａへのチェックがなされた場合に、通話履歴テーブル１２ｂ、１２ｃ、１２ｄにおいて、削除対象者の通話履歴情報が削除される構成が採られても良い。
【０１０７】
図１５（ａ）ないし（ｃ）は、それぞれ、本変更例に係る、発信履歴テーブル１２ｂ、着信履歴テーブル１２ｃおよび不在着信履歴テーブル１２ｄの構成を示す図である。本変更例では、発信履歴テーブル１２ｂ、着信履歴テーブル１２ｃおよび不在着信履歴テーブル１２ｄに表示フラグが設けられない。
【０１０８】
図１６は、本変更例に係る、連絡先削除処理を示すフローチャートである。本変更例では、図８に示すステップＳ２１７の処理が、ステップＳ２２１の処理に置き換えられる。
本変更例では、制御部１１は、非表示チェックボックス１０９ａへのチェックがあると判定した場合（Ｓ２１６：ＹＥＳ）、削除対象者の通話履歴情報を通話履歴テーブル１２ｂ、１２ｃ、１２ｄから削除する（Ｓ２２１）。
【０１０９】
図１７（ａ）は、本変更例に係る、表示対象選択画面１１２の一例を示す図である。図１７（ｂ）は、本変更例に係る、表示対象選択処理を示すフローチャートである。
【０１１０】
本変更例では、削除対象者の通話履歴情報は、通話履歴テーブル１２ｂ、１２ｃ、１２ｄから削除されるため、表示対象選択処理において、非表示設定が行われない。よって、図１７（ａ）に示すように、表示対象選択画面１１２から設定チェックボックス１１２ａが除かれる。さらに、図１７（ｂ）に示すように、表示対象選択処理において、非表示設定に関連する処理、即ち、ステップＳ４０２ないしＳ４０５、Ｓ４１０およびＳ４１１の処理が削除される。
【０１１１】
図１８は、本変更例に係る、履歴表示処理を示すフローチャートである。本変更例では、上述の通り、表示フラグの設定および非表示設定が行われないため、履歴表示処理において、ステップＳ３０２、Ｓ３０３、Ｓ３０５、Ｓ３０６、Ｓ３０８、Ｓ３０９、Ｓ３１１およびＳ３１２が削除される。制御部１１は、表示対象の設定に応じて、全てのあるいは何れかの通話履歴テーブル１２ｂ、１２ｃ、１２ｄから、記録されている全ての通話履歴情報を抽出し（Ｓ３０４、Ｓ３０７、Ｓ３１０、Ｓ３１３）、抽出された通話履歴情報から構成される通話履歴一覧画面１１０をディスプレイ３に表示する（Ｓ３１４）。削除対象者の通話履歴情報は、既に通話履歴テーブル１２ｂ、１２ｃ、１２ｄから削除されているため、通話履歴一覧画面１１０により表示されることはない。
【０１１２】
本変更例によっても、上記実施の形態と同様、ユーザは、連絡先情報の削除時に、削除する連絡先情報に含まれる電話番号を含む通話履歴情報をディスプレイ３に表示させないようにすることができる。よって、不要な通話履歴情報がディスプレイ３に表示され続けることを容易に防止できる。さらに、ユーザは、削除される連絡先情報毎に、その連絡先情報に関連する通話履歴情報を非表示とするか否かを選択することができ、ユーザにとって利便性が高い。
【０１１３】
通話履歴テーブル１２ｂ、１２ｃ、１２ｄでは、記憶するデータ量が許容データ量に到達すると、新たな通話履歴情報が記憶される際に古い通話履歴情報が削除される。本変更例の構成とすれば、削除対象者の通話履歴情報が通話履歴テーブル１２ｂ、１２ｃ、１２ｄから削除されるので、必要な通話履歴情報を通話履歴テーブル１２ｂ、１２ｃ、１２ｄに長期間残すことが可能となる。
【０１１４】
＜変更例２＞
上記変更例１では、削除対象者の通話履歴情報が通話履歴テーブル１２ｂ、１２ｃ、１２ｄから削除される。これに対し、本変更例では、通話履歴テーブル１２ｂ、１２ｃ、１２ｄとは別に、予備通話履歴テーブル１２ｅが記憶部１２に備えられる。そして、通話履歴テーブル１２ｂ、１２ｃ、１２ｄから削除される前に、通話履歴情報が予備通話履歴テーブル１２ｅに記録される。すなわち、通話履歴情報が通話履歴テーブル１２ｂ、１２ｃ、１２ｄから予備通話履歴テーブル１２ｅに移動される。
【０１１５】
図１９は、本変更例に係る、予備通話履歴テーブル１２ｅの構成を示す図である。
予備通話履歴テーブル１２ｅには、通話履歴情報の他、その通話履歴情報の種別（発信、着信、不在着信）が記憶される。なお、このように種別が記憶されるのではなく、発信履歴情報、着信履歴情報および不在着信履歴情報の各々に対し、別に予備通話履歴テーブルが用意されても良い。
【０１１６】
図２０は、本変更例に係る、連絡先削除処理を示すフローチャートである。本変更例では、図８に示すステップＳ２１７の処理が、ステップＳ２３１の処理に置き換えられる。本変更例では、制御部１１は、非表示チェックボックス１０９ａへのチェックがあると判定した場合（Ｓ２１６：ＹＥＳ）、削除対象者の通話履歴情報を通話履歴テーブル１２ｂ、１２ｃ、１２ｄから予備通話履歴テーブル１２ｅへ移動させる（Ｓ２３１）。即ち、制御部１１は、削除対象者の通話履歴情報を、予備通話履歴テーブル１２ｅに記録した後に、通話履歴テーブル１２ｂ、１２ｃ、１２ｄから削除する。
【０１１７】
図２１は、本変更例に係る、表示対象選択処理を示すフローチャートである。本変更例では、図１２に示すステップＳ４１１の処理が削除され、ステップＳ４２１の処理が付加される。本変更例では、制御部１１は、設定チェックボックス１１２ａがチェックされていない場合に（Ｓ４１０：ＮＯ）、制御部１１は、予備通話履歴テーブル１２ｅに記録された通話履歴情報をディスプレイ３に表示する表示設定を行う（Ｓ４２１）。
【０１１８】
図２２は、本変更例に係る、履歴表示処理を示すフローチャートである。本変更例では、制御部１１は、表示対象の判定（Ｓ５０１）に続いて、予備通話履歴テーブル１２ｅに記録された通話履歴情報をディスプレイ３に表示する表示設定がなされているか否かを判定する（Ｓ５０２、Ｓ５０５、Ｓ５０８、Ｓ５１１）。表示設定がなされている場合（Ｓ５０２：ＹＥＳ、Ｓ５０５：ＹＥＳ、Ｓ５０８：ＹＥＳ、Ｓ５１１：ＹＥＳ）、制御部１１は、予備通話履歴テーブル１２ｅから、表示対象の設定に応じて、全てのあるいは何れかの種別の通話履歴情報を抽出するとともに（Ｓ５０３、Ｓ５０６、Ｓ５０９、Ｓ５１２）、表示対象の設定に応じて、全てのあるいは何れかの通話履歴テーブル１２ｂ、１２ｃ、１２ｄから、記録されている全ての通話履歴情報を抽出する（Ｓ５０４、Ｓ５０７、Ｓ５１０、Ｓ５１３）。一方、表示設定がなされていない場合（Ｓ５０２：ＮＯ、Ｓ５０５：ＮＯ、Ｓ５０８：ＮＯ、Ｓ５１１：ＮＯ）、制御部１１は、予備通話履歴テーブル１２ｅから通話履歴情報を抽出せず、全てのあるいは何れかの通話履歴テーブル１２ｂ、１２ｃ、１２ｄから、記録されている全ての通話履歴情報を抽出する（Ｓ５０４、Ｓ５０７、Ｓ５１０、Ｓ５１３）。制御部１１は、抽出された通話履歴情報から構成される通話履歴一覧画面１１０をディスプレイ３に表示する（Ｓ５１４）。こうして、削除対象者の通話履歴情報は、通話履歴テーブル１２ｂ、１２ｃ、１２ｄから削除され、且つ表示設定が行われていない場合、通話履歴一覧画面１１０により表示されず、通話履歴テーブル１２ｂ、１２ｃ、１２ｄから削除されていない場合、または削除されても表示設定が行われている場合、通話履歴一覧画面１１０により表示される。
【０１１９】
本変更例によっても、上記実施の形態と同様の作用効果を奏することができる。
【０１２０】
通話履歴テーブル１２ｂ、１２ｃ、１２ｄでは、記憶するデータ量が許容データ量に到達すると、新たな通話履歴情報が記憶される際に古い通話履歴情報が削除される。削除対象者の通話履歴情報が、非表示状態のまま通話履歴テーブル１２ｂ、１２ｃ、１２ｄに残される場合、データ容量の関係から、通話履歴情報が非表示の状態のまま、ユーザが気付かないうちに通話履歴テーブル１２ｂ、１２ｃ、１２ｄから削除されてしまう場合がある。こうなると、ユーザは、非表示の状態にしておいた通話履歴情報をもはや確認することができない。本変更例の構成とすれば、削除対象者の通話履歴情報は、通話履歴テーブル１２ｂ、１２ｃ、１２ｄから予備通話履歴テーブル１２ｅに移されるので、通話履歴情報を非表示の状態のまま長期間残しておくことができ、ユーザは、非表示の状態とされた通話履歴情報を後々確認しやすい。
【０１２１】
＜その他の変更例＞
上記実施の形態および変更例では、通信に係る履歴情報として、電話に係る履歴情報（
通話履歴情報）が採り上げられ、通話履歴情報が通話履歴一覧画面１１０により表示される場合に本発明が適用される構成が説明されている。しかしながら、メール（電子メール、ショートメッセージ）に係る履歴情報（メール履歴情報）がメール履歴一覧画面により表示される場合に、本発明が適用され得る。
【０１２２】
メール履歴情報は、送信履歴情報と受信履歴情報とを含む。記憶部１２に、送信履歴情報が記録される送信履歴テーブルと受信履歴情報が記録される受信履歴テーブルが備えられる。電子メールの場合、送信履歴情報は、メールアドレスおよび送信日時を含み、受信履歴情報は、メールアドレスおよび受信日時を含む。ショートメッセージの場合、送信履歴情報は、電話番号および送信日時を含み、受信履歴情報は、電話番号および受信日時を含む。
【０１２３】
メール履歴情報を対象として、上記実施の形態および上記変更例に示す履歴記録処理（図６）、連絡先削除処理（図８、図１６、図２０）、履歴表示処理（図１０、図１８、図２２）および表示対象選択処理（図１２、図１７（ｂ）、図２１）と同様な処理が、制御部１１により実行される。ユーザの削除操作により連絡先情報が削除された場合、削除された連絡先情報に含まれるメールアドレス（電話番号）を含むメール履歴情報がメール履歴一覧画面によりディスプレイ３に表示されなくなる。
【０１２４】
上記実施の形態では、発信履歴情報、着信履歴情報および不在着信履歴情報が、それぞれに対応する発信履歴テーブル１２ｂ、着信履歴テーブル１２ｃおよび不在着信履歴テーブル１２ｄに記録される。しかしながら、これら通話履歴情報が記録される形態は如何なるのものでも良い。たとえば、これら通話履歴情報が、一つの通話履歴テーブルに混在して記録されても良い。この場合、通話履歴テーブルには、発信、着信および不在着信の種別を表す情報が通話履歴情報毎に記録される。
【０１２５】
上記実施の形態では、ユーザは、削除対象者の通話履歴情報を非表示対象に設定するか否かの選択、および非表示対象に設定された通話履歴情報を非表示とするか否かの選択を行うことができる。しかしながら、ユーザがこれらの選択を行えないような構成が採られても良い。この場合、連絡先情報が削除されると、それに対応する通話履歴情報が、自動的に通話履歴一覧画面１１０による表示から外される。このような構成が採られる場合には、連絡先情報が削除されても、それに対応する通話履歴情報が通話履歴一覧画面１１０により表示される第１モードと、連絡先情報が削除されると、それに対応する通話履歴情報が通話履歴一覧画面１１０により表示されなくなる第２モードとの中から、ユーザが所望のモードを選択できる構成とされても良い。勿論、上記の構成とされない場合、即ち、上記実施の形態の構成とされた場合にも、上記第１モードおよび第２モードの中からモード選択が行える構成とされて良い。
【０１２６】
上記実施の形態では、スマートフォン型の携帯電話機に本発明が適用されている。しかしながら、これに限らず、ストレート式、折りたたみ式、スライド式等、他のタイプの携帯電話機に本発明が適用されても良い。
【０１２７】
さらに、本発明は、携帯電話機に限られず、ＰＤＡ（Personal DigitalAssistant）、タブレットＰＣ（Tablet PC）等の他の携帯端末装置、固定電話機など、各種の通信装置に適用可能である。
【０１２８】
この他、本発明の実施形態は、特許請求の範囲に示された技術的思想の範囲内において、適宜、種々の変更が可能である。
【符号の説明】
【０１２９】
１１  制御部（表示処理部、削除処理部、非表示処理部、設定処理部）
１２  記憶部
１２ａ  電話帳テーブル（第１記憶部）
１２ｂ  発信履歴テーブル（第１記憶部）
１２ｃ  着信履歴テーブル（第１記憶部）
１２ｄ  不在着信履歴テーブル（第１記憶部）
１２ｅ  予備通話履歴テーブル（第２記憶部）
１３  画像出力部（表示部）
１４  タッチ検出部（操作受付部）
１９  通信部
【図１】
2015115843.tif 000003
【図２】
2015115843.tif 000004
【図３】
2015115843.tif 000005
【図４】
2015115843.tif 000006
【図５】
2015115843.tif 000007
【図６】
2015115843.tif 000008
【図７】
2015115843.tif 000009
【図８】
2015115843.tif 000010
【図９】
2015115843.tif 000011
【図１０】
2015115843.tif 000012
【図１１】
2015115843.tif 000013
【図１２】
2015115843.tif 000014
【図１３】
2015115843.tif 000015
【図１４】
2015115843.tif 000016
【図１５】
2015115843.tif 000017
【図１６】
2015115843.tif 000018
【図１７】
2015115843.tif 000019
【図１８】
2015115843.tif 000020
【図１９】
2015115843.tif 000021
【図２０】
2015115843.tif 000022
【図２１】
2015115843.tif 000023
【図２２】
2015115843.tif 000024